(57)【要約】【課題】惰行制御中にドライバーの加速／減速の意志に応じてエコメータの表示を変動させ、惰行制御時にドライバーが感じる違和感の低減を図った燃費走行制御時の補助制御装置を提供する。【解決手段】走行中にエンジンが外部に対して仕事をしないときに、クラッチを断にすると共に、エンジン回転数をアイドル回転数に落として惰行制御する燃費走行制御装置と、瞬間燃費と平均燃費を演算する燃費演算部と、平均燃費に対する瞬間燃費の評価値を燃費評価値として表示するエコメータ１３とを備えた走行体に搭載される燃費走行制御時の補助制御装置であって、惰行制御中に、エコメータ１３に表示される車速とアイドル回転数での燃料噴射量から演算された燃費評価値を、アクセル開度に応じて変動させるエコメータ表示制御手段１５を備えた。【選択図】図１
2010264782.tif 000002
【特許請求の範囲】
【請求項１】
走行中にエンジンが外部に対して仕事をしないときに、クラッチを断にすると共に、エンジン回転数をアイドル回転数に落として惰行制御する燃費走行制御装置と、燃料噴射量と車速から瞬間燃費を演算すると共に、その瞬間燃費の積算平均値である平均燃費を演算する燃費演算部と、平均燃費に対する瞬間燃費の評価値を燃費評価値として表示するエコメータとを備えた走行体に搭載される燃費走行制御時の補助制御装置であって、
前記惰行制御中に、前記エコメータに表示される車速とアイドル回転数での燃料噴射量から演算された燃費評価値を、アクセル開度に応じて変動させるエコメータ表示制御手段を備えたことを特徴とする燃費走行制御時の補助制御装置。
【請求項２】
前記燃費走行制御装置は、アクセル開度とクラッチ回転数を指標とし、エンジン出力トルクが負となるマイナス領域とエンジン出力トルクが正となるプラス領域との境界となるエンジン出力トルクゼロ線に沿わせて惰行制御しきい線が設定された惰行制御判定マップを備え、該惰行制御判定マップ上で、アクセル開度とクラッチ回転数の座標点が前記惰行制御しきい線をアクセル開度が減少する方向に通過したとき、惰行制御を開始するようにされ、
前記エコメータ表示制御手段は、
前記惰行制御判定マップ上で、アクセル開度とクラッチ回転数の座標点が前記惰行制御しきい線よりも前記マイナス領域側であるか、あるいは前記プラス領域側であるかを判定する判定部と、
前記座標点が前記惰行制御しきい線よりも前記マイナス領域側であるとき、前記エコメータに表示される燃費評価値を、車速とアイドル回転数での燃料噴射量から演算された燃費評価値からプラス側に変動させ、前記座標点が前記惰行制御しきい線よりも前記プラス領域側であるとき、前記エコメータに表示される燃費評価値を、車速とアイドル回転数での燃料噴射量から演算された燃費評価値からマイナス側に変動させる表示制御部とを備える請求項１記載の燃費走行制御時の補助制御装置。
【請求項３】
前記表示制御部は、現在のクラッチ回転数における前記惰行制御しきい線上のアクセル開度を求め、求めたアクセル開度と現在のアクセル開度の差に応じて、前記エコメータに表示される燃費評価値を変動させる請求項２記載の燃費走行制御時の補助制御装置。
【発明の詳細な説明】
【技術分野】
【０００１】
本発明は、燃費走行制御時におけるドライバーの違和感を低減することが可能な燃費走行制御時の補助制御装置に関するものである。
【背景技術】
【０００２】
車両において、クラッチが断のとき、アクセルペダルが踏み込まれると、アクセルが開かれてエンジンがいわゆる空ぶかしとなり、エンジン回転数は、アクセル開度に対応したエンジン回転数に落ち着く。このとき、エンジンが発生させた駆動力とエンジン内部抵抗（フリクション）とが均衡し、エンジン出力トルクは０である。すなわち、エンジンは、外部に対して全く仕事をせず、燃料が無駄に消費される。
【０００３】
エンジンが外部に対して仕事をしない状態は、前述したクラッチ断のときの空ぶかしに限らず、車両の走行中にも発生している。このとき、エンジンは、空ぶかしのときと同じようにアクセル開度に対応したエンジン回転数で回転するだけで、車両の加速・減速に寄与しない。したがって、エンジンを回転させるためだけに燃料が消費されており、非常に無駄である。
【０００４】
本出願人は、エンジンが回転はしているが外部に対して仕事をしないときに、クラッチを断にし、エンジンをアイドル状態に戻して燃料消費を抑える惰行制御を行う惰行制御装置を提案した（特許文献２）。
【０００５】
惰行制御は、クラッチを自動で断接できる機構を搭載した車両において、エンジンが回転はしているが外部に対して仕事をしないときに自動でクラッチを切り、エンジン回転数をアイドリング回転数又は相当する回転数とする事で、燃費を向上させる手法である。
【０００６】
また、本出願人は、加速時にクラッチが断にされてドライバーがトルク抜けなどの違和感を感じてしまうことを抑制すべく、アクセル開度とクラッチ回転数を指標とする惰行制御判定マップを作成し、この惰行制御判定マップ上で、アクセル開度とクラッチ回転数の座標点が予め設定された惰行制御しきい線をアクセル開度が減少する方向に通過したとき、惰行制御を開始する惰行制御装置を提案中である。
【０００７】
惰行制御は、上述のように自動でエンジン出力を切る（自動でクラッチを断接する）ことができる車両であれば適用できるので、マニュアル式のクラッチシステム（マニュアルＴ／Ｍ）に限らず、自動式のクラッチシステム（通常のトルコンＡＴやＡＭＴ）においても同様の効果を得ることが可能である。
【０００８】
また、近年、燃費運転のために平均燃費計や瞬間燃費計などの燃費計、あるいはエコメータ等が搭載されてきている。これら燃費計やエコメータでは、車両に搭載されたＥＣＭ（エンジン・コントロール・モジュール）やＢＣＭ（ボディ・コントロール・モジュール）にて、ＥＣＭで得た燃料噴射量と車速（又は距離）から平均燃費や瞬間燃費を計算し、得られた平均燃費や瞬間燃費を基に燃費や燃費に対する評価値を表示するよう制御されている。
【０００９】
瞬間燃費（ｋｍ／Ｌ）は、単位時間（例えば１秒）ごとに、車速（ｋｍ／ｈ）を燃料噴射量（Ｌ／ｈ）で除することで求められる。瞬間燃費の値が大きいと、その瞬間での燃費が良いことを表し、瞬間燃費の値が小さいと、その瞬間での燃費が悪いことを表す。また、平均燃費は、トリップメータをリセットするなどして平均燃費をリセットした時点から、瞬間燃費を積算平均することで求められる。
【００１０】
エコメータは、平均燃費に対する瞬間燃費の評価値を燃費評価値として表示するものであり、アナログ表示やデジタル表示など様々なものがある。このエコメータの一例を図１３に示す。
【００１１】
図１３のエコメータでは、平均燃費＝瞬間燃費であるときに、メータが中央のニュートラル位置となるようにし、平均燃費＜瞬間燃費であるときにプラス側（燃費が良い）、平均燃費＞瞬間燃費であるときにマイナス側（燃費が悪い）に振れるように構成され、ドライバーに燃費運転を励行できるようにしている。
【００１２】
より具体的には、図１４（ａ）に示すように、アクセル全開時には、瞬間燃費が平均燃費よりも非常に小さくなる（燃費が悪くなる）ため、エコメータが表示する燃費評価値がマイナス側に大きく振れる。同様に、図１４（ｂ）に示すように、加速時には、瞬間燃費が平均燃費よりも小さくなるため、エコメータが表示する燃費評価値がマイナス側に振れることになる。
【００１３】
また、図１４（ｃ）に示すように、燃料カット時には、瞬間燃費が平均燃費よりも非常に大きくなる（燃費が良くなる）ため、エコメータが表示する燃費評価値がプラス側に大きく振れる。同様に、図１４（ｄ）に示すように、アクセル緩め時には、瞬間燃費が平均燃費よりも大きくなるため、エコメータが表示する燃費評価値がプラス側に振れることになる。
【００１４】
惰行制御作動時には、図１５に示すように、Ｓ−ＥＣＯランプなどの作動ランプを点灯させ、惰行制御中であることをドライバーに伝達する。上述のように、惰行制御では、惰行制御開始時の車両条件を維持できる状態で制御するので、例えば、車速が低い状態で惰行制御に入った場合には、瞬間燃費が比較的小さくなるため図１６（ａ）に示すような表示となり、車速が高い状態で惰行制御に入った場合には、瞬間燃費が比較的大きくなるため図１６（ｂ）に示すような表示となる。
【先行技術文献】
【特許文献】
【００１５】
【特許文献１】特開平８−６７１７５号公報
【特許文献２】特開２００６−３４２８３２号公報
【発明の概要】
【発明が解決しようとする課題】
【００１６】
ところで、惰行制御中のエンジン回転数は、ドライバーがアクセルペダルを操作したとしても、惰行制御が終了しない限り、常にアイドル回転数に固定される。
【００１７】
そのため、惰行制御時の燃料噴射量は、エンジン回転数と同様に一定（固定）となる。また、惰行制御中の車速は、走行状態（路面状態や風等）の変化がない限りほぼ一定となる。したがって、燃料噴射量と車速から瞬間燃費を計算して表示しているエコメータは、惰行制御中には、ほぼ一定の燃費評価値を表示したまま停止した状態となってしまう。
【００１８】
通常の運転時には、停止時以外にエコメータが停止することは殆どないため、惰行制御に移行してエコメータの表示が停止すると、運転状況によってはドライバーが勘違いし、アクセルを緩めたり、故障かと感じて不要なアクセル操作をしてしまい、惰行制御が終了してしまうおそれがある。その結果、惰行制御維持時間が短くなり、燃費向上効果を得難くなってしまうという問題がある。
【００１９】
上述のように、惰行制御中には、Ｓ−ＥＣＯランプなどの作動ランプを点灯させているが、これは単にドライバーに惰行制御中であることを伝達しているだけであり、ドライバーが惰行制御中に感じる違和感を低減しているとはいえない。したがって、ドライバーが惰行制御中に感じる違和感自体を低減し、不要なアクセル操作をより抑制することにより、さらなる燃費向上効果を得ることが望まれる。
【００２０】
そこで、本発明の目的は、上記課題を解決し、惰行制御中にドライバーの加速／減速の意志に応じてエコメータの表示を変動させ、惰行制御時にドライバーが感じる違和感の低減を図った燃費走行制御時の補助制御装置を提供することにある。
【課題を解決するための手段】
【００２１】
本発明は上記目的を達成するために創案されたものであり、走行中にエンジンが外部に対して仕事をしないときに、クラッチを断にすると共に、エンジン回転数をアイドル回転数に落として惰行制御する燃費走行制御装置と、燃料噴射量と車速から瞬間燃費を演算すると共に、その瞬間燃費の積算平均値である平均燃費を演算する燃費演算部と、平均燃費に対する瞬間燃費の評価値を燃費評価値として表示するエコメータとを備えた走行体に搭載される燃費走行制御時の補助制御装置であって、前記惰行制御中に、前記エコメータに表示される車速とアイドル回転数での燃料噴射量から演算された燃費評価値を、アクセル開度に応じて変動させるエコメータ表示制御手段を備えた燃費走行制御時の補助制御装置である。
【００２２】
前記燃費走行制御装置は、アクセル開度とクラッチ回転数を指標とし、エンジン出力トルクが負となるマイナス領域とエンジン出力トルクが正となるプラス領域との境界となるエンジン出力トルクゼロ線に沿わせて惰行制御しきい線が設定された惰行制御判定マップを備え、該惰行制御判定マップ上で、アクセル開度とクラッチ回転数の座標点が前記惰行制御しきい線をアクセル開度が減少する方向に通過したとき、惰行制御を開始するようにされ、前記エコメータ表示制御手段は、前記惰行制御判定マップ上で、アクセル開度とクラッチ回転数の座標点が前記惰行制御しきい線よりも前記マイナス領域側であるか、あるいは前記プラス領域側であるかを判定する判定部と、前記座標点が前記惰行制御しきい線よりも前記マイナス領域側であるとき、前記エコメータに表示される燃費評価値を、車速とアイドル回転数での燃料噴射量から演算された燃費評価値からプラス側に変動させ、前記座標点が前記惰行制御しきい線よりも前記プラス領域側であるとき、前記エコメータに表示される燃費評価値を、車速とアイドル回転数での燃料噴射量から演算された燃費評価値からマイナス側に変動させる表示制御部とを備えてもよい。
【００２３】
前記表示制御部は、現在のクラッチ回転数における前記惰行制御しきい線上のアクセル開度を求め、求めたアクセル開度と現在のアクセル開度の差に応じて、前記エコメータに表示される燃費評価値を変動させてもよい。
【発明の効果】
【００２４】
本発明によれば、惰行制御中にドライバーの加速／減速の意志に応じてエコメータの表示を変動させ、惰行制御時にドライバーが感じる違和感を低減することができる。
【図面の簡単な説明】
【００２５】
【図１】本発明の燃費走行制御時の補助制御装置が適用される車両の入出力構成の一例を示す図である。
【図２】本発明の燃費走行制御時の補助制御装置が適用される車両の入出力構成の一例を示す図である。
【図３】本発明の燃費走行制御時の補助制御装置が適用される車両のクラッチシステムのブロック構成図である。
【図４】図３のクラッチシステムを実現するアクチュエータの構成図である。
【図５】燃費走行制御の概要を説明するための作動概念図である。
【図６】惰行制御判定マップのグラフイメージ図である。
【図７】燃費走行制御による燃費削減効果を説明するためのグラフである。
【図８】実際に燃費走行制御が行われた惰行制御判定マップの図である。
【図９】本発明において、α制御を行う領域とβ制御を行う領域を説明する図である。
【図１０】本発明において、α制御の動作を説明する図であり、（ａ）は惰行制御開始時のエコメータの燃費評価値、（ｂ）はα制御時のエコメータの燃費評価値を示す図である。
【図１１】本発明において、β制御の動作を説明する図であり、（ａ）は惰行制御開始時のエコメータの燃費評価値、（ｂ）はβ制御時のエコメータの燃費評価値を示す図である。
【図１２】本発明の燃費走行制御時の補助制御装置の制御フローを説明するフローチャートである。
【図１３】エコメータの一例を説明する図である。
【図１４】図１３のエコメータの動作を説明する図であり、（ａ）はアクセル全開時、（ｂ）は加速時、（ｃ）は燃料カット時、（ｄ）はアクセル緩め時の表示を示す図である。
【図１５】図１３のエコメータの動作を説明する図であり、惰行制御作動時の表示を示す図である。
【図１６】図１３のエコメータの動作を説明する図であり、（ａ）は車速が低い状態で惰行制御に入った場合、（ｂ）は車速が高い状態で惰行制御に入った場合の表示を説明する図である。
【発明を実施するための形態】
【００２６】
以下、本発明の好適な実施の形態を添付図面にしたがって説明する。
【００２７】
図１は、本実施形態に係る燃費走行制御時の補助制御装置が適用される車両の入出力構成図である。
【００２８】
図１に示すように、車両には、主として変速機・クラッチを制御する電子制御ユニット１１と、主としてエンジンを制御するＥＣＭ（エンジン・コントロール・モジュール）１２が設けられている。
【００２９】
電子制御ユニット１１には、シフトノブスイッチ、変速機のシフトセンサ、セレクトセンサ、ニュートラルスイッチ、Ｔ／Ｍ回転センサ、車速センサ、アイドルスイッチ、マニュアル切替スイッチ、パーキングブレーキスイッチ、ドアスイッチ、ブレーキスイッチ、半クラッチ調整スイッチ、クラッチセンサ、油圧スイッチの各入力信号線が接続されている。また、電子制御ユニット１１には、クラッチシステム５１の油圧ポンプ６４のモータおよびソレノイドバルブ６２、坂道発進補助用バルブ、ウォーニング＆メータの各出力信号線が接続されている。
【００３０】
ＥＣＭ１２には、図示しないがエンジン制御に利用される各種の入力信号線と出力信号線が接続されている。ＥＣＭ１２は、エンジン回転数、アクセル開度、エンジン回転変更要求の各信号をＣＡＮ（Controller Area Network；車載ネットワーク）の伝送路を介して電子制御ユニット１１に送信することができる。
【００３１】
また、車両は、燃料噴射量と車速から瞬間燃費を演算すると共に、その瞬間燃費の積算平均値である平均燃費を演算する燃費演算部（図示せず）と、平均燃費に対する瞬間燃費の評価値を燃費評価値として表示するエコメータ１３とを備えている。
【００３２】
燃費演算部は、ＥＣＭ１２に搭載される。エコメータ１３は、平均燃費＝瞬間燃費であるときに中央のニュートラル位置となるようにし、平均燃費＜瞬間燃費であるときにプラス側（燃費が良い）、平均燃費＞瞬間燃費であるときにマイナス側（燃費が悪い）に振れるように構成されている。また、エコメータ１３には、惰行制御中に点灯し、惰行制御中であることをドライバーに伝達する作動ランプとしてのＳ−ＥＣＯランプ１４が設けられている。
【００３３】
車両では、一般的に、ＥＣＭ１２（あるいはＢＣＭ（ボディ・コントロール・モジュール））よりエコメータ１３に燃費評価値が出力されているが、本実施形態では、電子制御ユニット１１とＥＣＭ１２の両方からエコメータ１３に燃費評価値を出力できるようにしている。
【００３４】
具体的には、電子制御ユニット１１とＥＣＭ１２のエコメータ１３への出力を、シリアル通信または電線（信号線）によりまとめてエコメータ１３に接続しておき、電子制御ユニット１１とＥＣＭ１２のどちらからでもエコメータ１３に燃費評価値を出力できるようにしている。
【００３５】
電子制御ユニット１１およびＥＣＭ１２とエコメータ１３との接続方式は、これに限らず、例えば、図２に示すように、ＣＡＮ等のビークルネットワーク上に電子制御ユニット１１、ＥＣＭ１２、エコメータ１３を配置し、各々が交信しあうことで、電子制御ユニット１１とＥＣＭ１２の両方からエコメータ１３に燃費評価値を出力できるようにしてもよい。
【００３６】
車両には、走行中にエンジンが外部に対して仕事をしないときに、クラッチを断にすると共に、エンジン回転数をアイドル回転数（又は相当する回転数）に落として惰行制御する燃費走行制御を行う燃費走行制御装置が搭載されている。
【００３７】
また、車両には、本発明の燃費走行制御時の補助制御装置が搭載されている。
【００３８】
ここで、本発明の燃費走行制御時の補助制御装置を説明するに先立ち、燃費走行制御装置について説明しておく。
【００３９】
まず、車両のクラッチシステムについて説明する。
【００４０】
図３に示すように、車両のクラッチシステム５１は、マニュアル式と電子制御ユニット１１の制御による自動式との両立方式である。クラッチペダル５２に機械的に連結されたクラッチマスターシリンダ５３は、クラッチフリーオペレーティングシリンダ５４に動作油を供給するようになっている。一方、電子制御ユニット１１で制御されるクラッチフリーアクチュエータユニット５５もまた、クラッチフリーオペレーティングシリンダ５４に動作油を供給するようになっている。クラッチフリーオペレーティングシリンダ５４は、クラッチスレーブシリンダ５６に動作油を供給するようになっている。クラッチスレーブシリンダ５６のピストン５７がクラッチ５８の可動部に機械的に連結されている。
【００４１】
図４に示すように、図３のクラッチフリーオペレーティングシリンダ５４である中間シリンダ６１、クラッチフリーアクチュエータユニット５５を構成するソレノイドバルブ６２、リリーフバルブ６３、油圧ポンプ６４がクラッチフリーアクチュエータ６５に設けられる。中間シリンダ６１は、プライマリピストン６６とセカンダリピストン６７とが直列配置されており、クラッチマスターシリンダ５３からの動作油によりプライマリピストン６６がストロークすると、セカンダリピストン６７が随伴してストロークするようになっている。また、クラッチフリーアクチュエータユニット５５からの動作油によりセカンダリピストン６７がストロークするようになっている。セカンダリピストン６７のストロークに応じてクラッチスレーブシリンダ５６に動作油が供給されるようになっている。この構成により、マニュアル操作が行われたときには、優先的にマニュアル操作どおりのクラッチ断・接が実行され、マニュアル操作が行われていないときには電子制御ユニット１１の制御どおりのクラッチ断・接が実行される。
【００４２】
ここでは、マニュアル式と自動式の両立方式のクラッチシステムについて説明したが、自動式のクラッチシステム（ＡＴやＡＴＭ）であってもよい。
【００４３】
次に、燃費走行制御装置について説明する。
【００４４】
まず、図５により、燃費走行制御の作動概念を説明する。横軸は時間と制御の流れを示し、縦軸はエンジン回転数を示す。アクセルペダル７１が大きく踏み込まれてアクセル開度７０％の状態が継続する間、エンジン回転数７２が上昇し、車両が加速される。エンジン回転数７２が安定し、アクセルペダル７１の踏み込みが小さくなりアクセル開度が３５％になったとき後述する惰行制御開始条件が成立したとする。惰行制御開始により、クラッチが断に制御され、エンジン回転数７２がアイドル回転数に制御される。その後、アクセルペダル７１の踏み込みがなくなってアクセル開度が０％になるか又はその他の惰行制御終了条件が成立したとする。惰行制御終了により、エンジンが回転合わせ制御され、クラッチが接に制御される。この例では、アクセル開度が０％であるので、エンジンブレーキの状態となり、車両は減速される。
【００４５】
燃費走行制御が行われなかったとすると、惰行制御の実行期間の間、破線のようにエンジン回転数が高いまま維持されることになるので、燃料が無駄に消費されるが、燃費走行制御が行われることで、エンジン回転数７２がアイドル回転数となり燃料が節約される。
【００４６】
燃費走行制御装置は、具体的には、所定時間ごとにアクセル開度センサの出力信号をデジタルサンプリングし、その移動平均値を所定時間ごとのアクセル開度とするアクセル開度検出部と、アクセル開度の所定時間分を微分してアクセル開度速度を演算し、そのアクセル開度が負であって、かつ、その絶対値があらかじめ設定された開始基準値より小さいとき、惰行制御開始の判定を許可する判定条件検出部と、アクセル開度とクラッチ回転数を指標とし、エンジン出力トルクが負となるマイナス領域とエンジン出力トルクが正となるプラス領域との境界となるエンジン出力トルクゼロ線（ノーロード線）に沿わせて惰行制御しきい線が設定された惰行制御判定マップと、惰行制御開始の判定が許可されており、惰行制御判定マップ上で、アクセル開度とクラッチ回転数の座標点が惰行制御しきい線をアクセル開度が減少する方向に通過したとき、惰行制御を開始する惰行制御実行判定部とを備えている。
【００４７】
ここで、クラッチ回転数とは、クラッチのドリブン側の回転数であり、トランスミッションのインプットシャフトの回転数と同一である。本実施形態では、インプットシャフトにクラッチ回転数センサを設け、インプットシャフトの回転数からクラッチ回転数を検出するようにした。
【００４８】
アクセル開度検出部、判定条件検出部、惰行制御判定マップ、惰行制御実行判定部は、電子制御ユニット１１に搭載されるのが好ましい。
【００４９】
図６に、惰行制御判定マップをグラフイメージで示す。
【００５０】
惰行制御判定マップ８１は、あらかじめエンジンについてアクセル開度とクラッチ回転数の相関をクラッチ断の状態にて計測して作成される。
【００５１】
図６に示すように、惰行制御判定マップ８１は、横軸をアクセル開度とし、縦軸をクラッチ回転数とするマップである。惰行制御判定マップ８１は、エンジン出力トルクが負となるマイナス領域Ｍと、エンジン出力トルクが正となるプラス領域Ｐとに分けることができる。すなわち、マイナス領域Ｍは、エンジン要求トルクよりもエンジンのフリクションが大きく、エンジン出力トルクが負となる領域である。プラス領域Ｐは、エンジン要求トルクがエンジンのフリクションより大きいため、エンジン出力トルクが正となる領域である。マイナス領域Ｍとプラス領域Ｐの境界となるエンジン出力トルクゼロ線（ノーロード線）Ｚは、エンジンが外部に対して仕事をせず、燃料が無駄に消費されている状態を示している。
【００５２】
本実施形態では、惰行制御判定マップ８１のエンジン出力トルクゼロ線Ｚよりやや左（アクセル開度が小さい側）に惰行制御しきい線Ｔが設定される。
【００５３】
惰行制御判定マップ８１には、マイナス領域Ｍとプラス領域Ｐとの間に惰行制御しきい線Ｔを含む有限幅の惰行制御可能領域ＣＡが設定される。
【００５４】
惰行制御判定マップ８１には、クラッチ回転数の下限しきい線Ｕが設定されている。下限しきい線Ｕは、アクセル開度とは無関係にクラッチ回転数の下限しきい値を規定したものである。下限しきい線Ｕは、アイドル状態におけるクラッチ回転数よりも図示のようにやや上に設定される。
【００５５】
燃費走行制御装置では、次の４つの惰行開始条件が全て成立したとき、惰行制御を開始するようになっている。
（１）アクセルペダルの操作速度がしきい値範囲内
（２）惰行制御判定マップ８１において惰行制御しきい線Ｔをアクセル戻し方向で通過
（３）惰行制御判定マップ８１へのプロット点が惰行制御可能領域ＣＡ内
（４）惰行制御判定マップ８１においてエンジン回転数が下限しきい線Ｕ以上
【００５６】
また、燃費走行制御装置では、次の２つの惰行終了条件がひとつでも成立したとき、惰行制御を終了するようになっている。
（１）アクセルペダルの操作速度がしきい値範囲外
（２）惰行制御判定マップ８１へのプロット点が惰行制御可能領域ＣＡ外
【００５７】
図７により、燃費走行制御による燃費削減効果を説明する。
【００５８】
まず、燃費走行制御を行わないものとする。エンジン回転数は、約３０ｓから約２００ｓまでの間、１６００〜１７００ｒｐｍの範囲で遷移しており、約２００ｓから約２６０ｓまでの間に、約１７００ｒｐｍから約７００ｒｐｍ（アイドル回転数）へ低下している。
【００５９】
エンジントルクは、約３０ｓから約１００ｓまでの間に増加しているが、その後、減少に転じ、約１５０ｓまで減少を続けている。エンジントルクは、約１５０ｓから約１６０ｓまで（楕円Ｂ１）、約２００ｓから約２１０ｓまで（楕円Ｂ２）、約２２０ｓから約２６０ｓまで（楕円Ｂ３）の３箇所で、ほぼ０Ｎｍとなっている。
【００６０】
燃料消費量（縦軸目盛りなし；便宜上、エンジントルクと重なるように配置してある）は、約５０ｓから約２００ｓまではエンジントルクの遷移にほぼ随伴して変化している。エンジントルクがほぼ０Ｎｍであっても、燃料消費量は０ではない。
【００６１】
ここで燃費走行制御を行うものとすると、エンジントルクがほぼ０Ｎｍとなる期間において、エンジン回転数がアイドル回転数に制御されることになる。グラフには、惰行制御を行わないクラッチ回転数の線（実線）から分かれるように惰行制御時のエンジン回転数の線（太い実線）が示される。惰行制御は、楕円Ｂ１，Ｂ２，Ｂ３の３回にわたり実行された。この惰行制御が行われた期間における燃料消費量は、惰行制御を行わない場合の燃料消費量を下回っており、燃料消費が節約されたことが分かる。
【００６２】
図８に、実際に燃費走行制御が行われた惰行制御判定マップ１００を示す。各点は、実際に検出されたアクセル開度とクラッチ回転数のプロット点を示す。惰行制御判定マップ１００には、マイナス領域、プラス領域、惰行制御しきい線（加速０しきい点、減速０しきい点）、惰行制御可能領域がそれぞれ設定されている。
【００６３】
次に、図１に戻り、本発明の燃費走行制御時の補助制御装置を説明する。
【００６４】
本発明の燃費走行制御時の補助制御装置は、惰行制御中に、エコメータ１３に表示される車速とアイドル回転数での燃料噴射量から演算された燃費評価値を、アクセル開度に応じて変動させるエコメータ表示制御手段１５を備える。
【００６５】
上述のように、惰行制御中には、エンジン回転数がアイドル回転数で一定となるため、燃料噴射量が一定となり、また車速もほぼ一定であるため、エコメータはほぼ一定の燃費評価値を示した状態となる。以下、惰行制御中にエコメータが表示するほぼ一定の燃費評価値（車速とアイドル回転数での燃料噴射量から演算される燃費評価値）を、惰行制御時の燃費評価値という。
【００６６】
エコメータ表示制御手段１５は、惰行制御判定マップ上で、アクセル開度とクラッチ回転数の座標点が惰行制御しきい線Ｔよりもマイナス領域Ｍ側であるか、あるいはプラス領域Ｐ側であるかを判定する判定部１６と、座標点が惰行制御しきい線Ｔよりもマイナス領域Ｍ側であるとき、エコメータ１３に表示される燃費評価値を、惰行制御時の燃費評価値からプラス側に変動させる制御（以下、α制御という）を行い、座標点が惰行制御しきい線Ｔよりもプラス領域側であるとき、エコメータ１３に表示される燃費評価値を、惰行制御時の燃費評価値からマイナス側に変動させる制御（以下、β制御という）を行う表示制御部１７とを備える。これら判定部１６、表示制御部１７は、電子制御ユニット１１に搭載される。
【００６７】
図９に示すように、表示制御部１７は、アクセル開度とクラッチ回転数の座標点が、惰行制御しきい線Ｔよりも左側（マイナス領域Ｍ側）であり、かつ、惰行制御可能領域ＣＡ内であるα領域ＲAにあるときに、エコメータ１３に表示される燃費評価値をプラス側に変動させるα制御を行う。また、表示制御部１７は、アクセル開度とクラッチ回転数の座標点が惰行制御しきい線Ｔよりも右側（プラス領域Ｐ側）であり、かつ、惰行制御可能領域ＣＡ内であるβ領域ＲBにあるときに、エコメータ１３に表示される燃費評価値をマイナス側に変動させるβ制御を行う。
【００６８】
図１０（ａ），（ｂ）に示すように、α制御では、惰行制御開始時の燃費評価値から、プラス側に燃費評価値を変動させる。また、図１１（ａ），（ｂ）に示すように、β制御では、惰行制御開始時の燃費評価値から、マイナス側に燃費評価値を変動させる。
【００６９】
また、表示制御部１７は、現在のクラッチ回転数における惰行制御しきい線Ｔ上のアクセル開度を求め、求めたアクセル開度（演算値）と現在のアクセル開度（実測値）の差に応じて、エコメータ１３に表示される燃費評価値を変動させる。例えば、車速が一定（クラッチ回転数が一定）である場合は、表示制御部１７は、惰行制御開始時のアクセル開度に対する現在のアクセル開度の変化量（惰行制御開始時のアクセル開度と現在のアクセル開度との差）に応じた変動量で、エコメータ１３に表示される燃費評価値を変動させる。
【００７０】
本実施形態では、α制御における燃費評価値を、
惰行制御時の燃費評価値＋１目盛×（アクセル開度の変化量）×Ａ
とし、β制御における燃費評価値を、
惰行制御時の燃費評価値−１目盛×（アクセル開度の変化量）×Ｂ
としてエコメータ１３に出力するようにした。Ａ，Ｂは、感応チューニングのための係数である。
【００７１】
α，β制御における変動量は、ドライバーが認識できる最小量程度でよいので、ドライバーが認識できる程度の変動量となるように、感応チューニングのための係数Ａ，Ｂを設定するとよい。
【００７２】
このようなα，β制御を行うことにより、惰行制御中であっても、アクセル開度が増減すると、これに応じてエコメータ１３の燃費評価値が増減するようになる。
【００７３】
また、エコメータ表示制御手段１５は、惰行制御開始時に、エコメータ１３への出力をＥＣＭ１２から表示制御部１７に切り替え、惰行制御終了時に、エコメータ１３への出力を表示制御部１７からＥＣＭ１２に切り替える出力制御部を備える。本実施形態では、燃費走行制御装置の惰行制御実行判定部が出力制御部を兼ねることとした。
【００７４】
次に、本実施形態に係る燃費走行制御時の補助制御装置における制御フローを説明する。
【００７５】
図１２に示すように、まず、出力制御部としての惰行制御実行判定部が、惰行制御開始条件と一致するか否かを判断する（ステップＳ１）。惰行制御中でない場合、制御を終了する。
【００７６】
惰行制御開始条件と一致する場合、惰行制御実行判定部は、エコメータ１３への出力をＥＣＭ１２から表示制御部１７に切り替え、これと同時に、判定部１６は、アクセル開度とクラッチ回転数の座標点が惰行制御しきい線Ｔよりプラス領域Ｐ側（α領域ＲA内）にあるか、マイナス領域Ｍ側（β領域ＲB内）にあるかを判定する（ステップＳ２）。このとき、惰行制御中であることを知らせるＳ−ＥＣＯランプ１４が点灯する。
【００７７】
アクセル開度とクラッチ回転数の座標点がα領域ＲA内にある場合、表示制御部１７はα制御を開始し、エコメータ１３に表示される燃費評価値を、アクセル開度に応じてプラス側に変動させる（ステップＳ３）。
【００７８】
その後、判定部１６は、アクセル開度とクラッチ回転数の座標点が、惰行制御可能領域ＣＡから外に出たか否かを判定する（ステップＳ４）。惰行制御可能領域ＣＡから外に出ていない場合、ステップＳ２に戻り、アクセル開度とクラッチ回転数の座標点がα領域ＲA内にあれば、表示制御部１７は引き続きα制御を行う。惰行制御可能領域ＣＡから外に出た場合、惰行制御実行判定部は、惰行制御を終了すると共に、エコメータ１３への出力を表示制御部１７からＥＣＭ１２に切り替えて、制御を終了する。
【００７９】
また、ステップＳ２において、アクセル開度とクラッチ回転数の座標点が惰行制御しきい線Ｔよりプラス領域Ｐ側（β領域ＲB内）にある場合、表示制御部１７はβ制御を開始し、エコメータ１３に表示される燃費評価値を、アクセル開度に応じてマイナス側に変動させる（ステップＳ５）。
【００８０】
その後、判定部１６は、アクセル開度とクラッチ回転数の座標点が、惰行制御可能領域ＣＡから外に出たか否かを判定する（ステップＳ６）。惰行制御可能領域ＣＡから外に出ていない場合、ステップＳ２に戻る。惰行制御可能領域ＣＡから外に出た場合、惰行制御実行判定部は、惰行制御を終了すると共に、エコメータ１３への出力を表示制御部１７からＥＣＭ１２に切り替えて、制御を終了する。
【００８１】
ここで、一例として、車速が一定（クラッチ回転数が一定）であり、アクセル開度が一方向に増減する場合の各制御への移行を説明する。
【００８２】
惰行制御開始時のアクセル開度からアクセル開度が減少すると、α制御が開始され、エコメータ１３の燃費評価値をプラス側に変動させる。そのままアクセル開度が減少し、惰行制御可能領域ＣＡから外に出ると、制御が終了する。
【００８３】
α制御時にアクセル開度が増加して惰行制御しきい線Ｔを通過すると、β制御に移行して、エコメータ１３の燃費評価値をプラス側に変動させる。さらにアクセル開度が増加し、惰行制御可能領域ＣＡから外に出ると、制御が終了する。
【００８４】
β制御時にアクセル開度が減少して惰行制御しきい線Ｔを通過すると、α制御に移行する。
【００８５】
このように、本実施形態では、惰行制御中に常にエコメータ１３が表示する燃費評価値を変動させ、アクセル開度とクラッチ回転数の座標点がα領域ＲA、β領域ＲBのどの領域に存在するかによって、表示制御部１７がα制御、β制御のどの制御を行うかを決定する。
【００８６】
次に、本実施形態の作用を説明する。
【００８７】
本実施形態に係る燃費走行制御時の補助制御装置は、惰行制御中に、エコメータ１３に表示される惰行制御時の燃費評価値を、アクセル開度に応じて変動させるエコメータ表示制御手段１５を備えている。
【００８８】
これにより、本来、惰行制御中にはほとんど動かなくなってしまうエコメータ１３の燃費評価値を、惰行制御中にも常に変動させることが可能となる。また、アクセル開度に応じてエコメータ１３の燃費評価値を変動させることで、ドライバーの加速／減速の意志に応じてエコメータ１３の燃費評価値を変動させることが可能となり、ドライバーが違和感を感じることがなくなる。よって、ドライバーの不要なアクセル操作を抑制して、惰行制御から外れ難いようにすることが可能となり、その結果、惰行制御維持時間を長くすることができ、燃費を向上させることが可能となる。
【００８９】
また、本実施形態では、表示制御部１７が、現在のクラッチ回転数における惰行制御しきい線Ｔ上のアクセル開度を求め、求めたアクセル開度と現在のアクセル開度の差に応じて、エコメータ１３に表示される燃費評価値を変動させている。
【００９０】
これにより、アクセル開度とクラッチ回転数に応じて、すなわち、車両の走行状態やアクセルの微妙な動きに応じて、エコメータ１３に表示する燃費評価値を変動させることが可能となり、ドライバーが感じる違和感をより低減することが可能となる。
【００９１】
上記実施形態では、アナログ表示式のエコメータ１３を用いる場合を説明したが、デジタル表示式など他の形式のエコメータにも適用可能である。
【００９２】
また、上記実施形態では、アクセル開度とクラッチ回転数の座標点がどの領域に存在するかによって、実施する制御を決定するようにしたが、惰行制御中は、走行状態（路面状態や風等）の変化がない限り車速がほぼ一定となるため、クラッチ回転数を一定と仮定し、惰行制御開始時のアクセル開度と現在のアクセル開度との差に応じて、エコメータ１３に表示される燃費評価値を変動させるようにしてもよい。
【００９３】
上記実施形態では、ＥＣＭ１２がエコメータ１３に燃費評価値を出力する場合を説明したが、ＢＣＭ（ボディ・コントロール・モジュール）など他のユニットやモジュールがエコメータ１３に燃費評価値を出力するように構成されている場合、出力制御部である惰行制御実行判定部が、エコメータ１３に燃費評価値を出力しているユニットやモジュール（例えば、ＢＣＭ）に、燃費評価値の出力を停止・再開する命令を出力して、エコメータ１３への出力を切り替えるようにすればよい。
【００９４】
上記実施形態では、電子制御ユニット１１に搭載された表示制御部１７から、直接エコメータ１３に燃費評価値を出力するようにしたが、ＥＣＭ１２を介してエコメータ１３に燃費評価値を出力するようにしてもよい。
【００９５】
上記実施形態では、電子制御ユニット１１に判定部１６、表示制御部１７を搭載する場合を説明したが、ＥＣＭ１２に搭載するようにしてもよいし、ＢＣＭなど他のユニットやモジュールに搭載するようにしてもよい。
【符号の説明】
【００９６】
１１  電子制御ユニット
１２  ＥＣＭ
１３  エコメータ
１４  Ｓ−ＥＣＯランプ
１５  エコメータ表示制御手段
１６  判定部
１７  表示制御部
【図１】
2010264782.tif 000003
【図２】
2010264782.tif 000004
【図３】
2010264782.tif 000005
【図４】
2010264782.tif 000006
【図５】
2010264782.tif 000007
【図６】
2010264782.tif 000008
【図７】
2010264782.tif 000009
【図８】
2010264782.tif 000010
【図９】
2010264782.tif 000011
【図１０】
2010264782.tif 000012
【図１１】
2010264782.tif 000013
【図１２】
2010264782.tif 000014
【図１３】
2010264782.tif 000015
【図１４】
2010264782.tif 000016
【図１５】
2010264782.tif 000017
【図１６】
2010264782.tif 000018